(57)【要約】【課題】使用者が使いやすいリモコン及びこれを備えたリモコンシステムを提供する。【解決手段】、第１の操作面を有する第１のリモコンユニットと、第１の操作面を有する第２のリモコンユニットと、トイレ内に設けられた温水洗浄便座装置から送信される人体検知に関する情報を受信する受信部と、制御部と、を備え、前記制御部は、前記受信部が前記温水洗浄便装置の便座への着座に対応する情報を受信しないときは、前記第１のリモコンユニットの前記第１の操作面を露出させ、前記第２のリモコンユニットの前記第１の操作面は隠蔽した状態とし、前記受信部が前記便座への着座に対応する情報を受信しているときは、前記第１のリモコンユニットの前記第１の操作面を露出させ、前記第２のリモコンユニットの前記第１の操作面も露出させた状態とすることを特徴とするトイレ用リモコンが提供される。【選択図】図１
2008240495.tif 000002
【特許請求の範囲】
【請求項１】
第１の操作面を有する第１のリモコンユニットと、
第１の操作面を有する第２のリモコンユニットと、
トイレ内に設けられた第１の人体検知センサによる人体検知に対応する情報を受信する受信部と、
制御部と、
を備え、
前記制御部は、
前記受信部が前記人体検知に対応する情報を受信しないときは、前記第１のリモコンユニットの前記第１の操作面を露出させ、前記第２のリモコンユニットの前記第１の操作面は隠蔽した状態とし、
前記受信部が前記人体検知に対応する情報を受信しているときは、前記第１のリモコンユニットの前記第１の操作面を露出させ、前記第２のリモコンユニットの前記第１の操作面も露出させた状態とすることを特徴とするトイレ用リモコン。
【請求項２】
第１の操作面を有する第１のリモコンユニットと、
第１の操作面を有する第２のリモコンユニットと、
トイレ内に設けられた温水洗浄便座装置から送信される人体検知に関する情報を受信する受信部と、
制御部と、
を備え、
前記制御部は、
前記受信部が前記温水洗浄便装置の便座への着座に対応する情報を受信しないときは、前記第１のリモコンユニットの前記第１の操作面を露出させ、前記第２のリモコンユニットの前記第１の操作面は隠蔽した状態とし、
前記受信部が前記便座への着座に対応する情報を受信しているときは、前記第１のリモコンユニットの前記第１の操作面を露出させ、前記第２のリモコンユニットの前記第１の操作面も露出させた状態とすることを特徴とするトイレ用リモコン。
【請求項３】
前記制御部は、前記便座に着座しない人体の検知に対応する情報を前記温水洗浄便座装置から前記受信部が受信したときは、前記第１のリモコンユニットの前記第１の装置面の少なくとも一部を点灯させることを特徴とする請求項２記載のトイレ用リモコン。
【請求項４】
前記第１のリモコンユニットは、第２の操作面を有し、
前記第２の操作面は、前記第１の操作面を露出させつつ隠蔽可能とされたことを特徴とする請求項２または３に記載のトイレ用リモコン。
【請求項５】
前記温水洗浄便座装置から前記受信部への前記人体検知に関する情報の送信は、電波を介して実行され、
前記トイレ用リモコンから前記温水洗浄便座装置への制御信号の送信は、赤外線を介して実行されることを特徴とする請求項２〜４のいずれか１つに記載のトイレ用リモコン。
【請求項６】
前記リモコンは、トイレ室のカウンターに設けられたことを特徴とする請求項１〜５のいずれか１つに記載のトイレ用リモコン。
【請求項７】
温水洗浄便座装置と、
請求項１〜６のいずれか１つに記載のトイレ用リモコンと、  
を備えたことを特徴とするリモコンシステム。
【発明の詳細な説明】
【技術分野】
【０００１】
本発明は、トイレ用リモコン及びリモコンシステムに関し、具体的には、トイレ室に設置され温水洗浄便座装置などの操作をするリモコン及びこれを備えたリモコンシステムに関する。
【背景技術】
【０００２】
便座に座った使用者の「おしり」などに水を噴射して洗浄可能とした温水洗浄便座装置をリモコンにより操作可能とすると、使い勝手がよい。近年の温水洗浄便座装置は、多機能化し、これに応じてリモコンの操作スイッチも複雑化する傾向にある。
【０００３】
これに対して、使用頻度の高い基本機能を操作するメインスイッチを備えたメインリモコンと、使用頻度の低い応用機能を操作するサブスイッチを備えたサブリモコンと、を設け、メインリモコンに対してサブリモコンを着脱可能としたリモコン装置が開示されている（特許文献１）。リモコンが使用される状況や態様に応じて、サブリモコンを適宜着脱することにより、例えば高齢者などにも使いやすいリモコン装置を提供できる。
【特許文献１】特開２００６−１４７５３号公報
【発明の開示】
【発明が解決しようとする課題】
【０００４】
本発明は、使用者が使いやすいリモコン及びこれを備えたリモコンシステムを提供する。
【課題を解決するための手段】
【０００５】
本発明の一態様によれば、第１の操作面を有する第１のリモコンユニットと、第１の操作面を有する第２のリモコンユニットと、トイレ内に設けられた第１の人体検知センサによる人体検知に対応する情報を受信する受信部と、制御部と、を備え、前記制御部は、前記受信部が前記人体検知に対応する情報を受信しないときは、前記第１のリモコンユニットの前記第１の操作面を露出させ、前記第２のリモコンユニットの前記第１の操作面は隠蔽した状態とし、前記受信部が前記人体検知に対応する情報を受信しているときは、前記第１のリモコンユニットの前記第１の操作面を露出させ、前記第２のリモコンユニットの前記第１の操作面も露出させた状態とすることを特徴とするトイレ用リモコンが提供される。
【０００６】
また、本発明の他の一態様によれば、第１の操作面を有する第１のリモコンユニットと、第１の操作面を有する第２のリモコンユニットと、トイレ内に設けられた温水洗浄便座装置から送信される人体検知に関する情報を受信する受信部と、制御部と、を備え、前記制御部は、前記受信部が前記温水洗浄便装置の便座への着座に対応する情報を受信しないときは、前記第１のリモコンユニットの前記第１の操作面を露出させ、前記第２のリモコンユニットの前記第１の操作面は隠蔽した状態とし、前記受信部が前記便座への着座に対応する情報を受信しているときは、前記第１のリモコンユニットの前記第１の操作面を露出させ、前記第２のリモコンユニットの前記第１の操作面も露出させた状態とすることを特徴とするトイレ用リモコンが提供される。
【発明の効果】
【０００７】
本発明によれば、使用者が使いやすいリモコン及びこれを備えたリモコンシステムが提供される。
【発明を実施するための最良の形態】
【０００８】
以下、図面を参照しつつ、本発明の実施の形態について説明をする。なお、各図面中、同様の構成要素には同一の符号を付す。
【０００９】
図１は、本実施形態のリモコン及びこれを備えたリモコンシステムを表すブロック図である。  
また、図２は、本実施形態のリモコンシステムが設置されたトイレ空間を例示する模式図である。
【００１０】
図２に表したように、トイレ室９００には、温水洗浄便座装置８１０が設けられた便器８００が設置されている。そして、便器８００の脇には、棚板１００と、その下に取り付けられたリモコン２００と、を有するカウンターが設置されている。リモコン２００は、例えば、便器８００の便蓋や便座を電動により開閉したり、また温水洗浄便座装置８１０を操作するために用いることができる。また、リモコン２００は、後に詳述するように、図示しない照明装置、音楽や効果音などを発生する音響装置、テレビやラジオ、暖房などの空調装置などを操作するために用いることも可能である。
【００１１】
リモコン２００の下には、トイレットペーパー５９０を保持するペーパーホルダ５００が設けられている。また、棚板１００の下には、キャビネット６００を設置してもよい。また、棚板１００には、水栓１７０を付設した手洗いボウル１６０を設けてもよい。また、トイレ室の壁面に鏡９１０を設けて、ドレッサーとしての機能を付与してもよい。
【００１２】
棚板１００は、天板１１０と、その前縁に設けられた幕板１２０と、を有する。リモコン２００は、天板１１０の下に設けられ、例えば幕板１２０に設けられた開口（あるいは切り欠き）を介してその操作面が露出している。
【００１３】
温水洗浄便座装置８１０は、図１に表したように、第１の人体検知センサ（人体検知センサＡ）８１２、第２の人体検知センサ（人体検知センサＢ）８１４、第３の人体検知センサ（人体検知センサＣ）８１６を有する。
【００１４】
これら人体検知センサ８１２、８１４、８１６からの検知情報は、制御部８２０に入力される。また、温水洗浄便座装置８１０には、温水洗浄便座機能部８３０と、電波送信部８４０と、赤外受信部８５０と、が設けられている。温水洗浄便座機能部８３０は、ノズルから吐水させることにより使用者の「おしり」などを洗浄する機能を有する。電波送信部８４０は、リモコン２００に向けて電波を送信する。赤外受信部８５０は、リモコン２００から発せられた赤外線信号を受信する。
【００１５】
制御部８２０は、人体検知センサ８１２、８１４、８１６や、赤外受信部８５０から得られる情報に基づいて、温水洗浄便座機能部８３０の動作を制御する。またさらに、制御部８２０は、人体検知センサ８１２、８１４、８１６において得られた検知情報を電波送信部８４０からリモコン２００に向けて送信させる。
【００１６】
一方、リモコン２００は、第１のリモコンユニット２１０と、第２のリモコンユニット２２０と、を有する。そして、第１のリモコンユニット２１０を駆動する第１のリモコン駆動部２６０と、第２のリモコンユニット２２０を駆動する第２のリモコン駆動部２７０と、が設けられている。これら駆動部２６０、２７０の動作は、制御部２４０により制御される。またさらに、リモコン２００には、温水洗浄便座装置８１０の電波送信部８４０から送信された電波を受信する電波受信部２３０と、温水洗浄便座装置８１０の赤外受信部８５０に赤外線信号を送信する赤外送信部２５０と、が設けられている。
【００１７】
図３は、リモコン２００の外観を表す斜視図である。  
また、図４は、リモコン２００の前面の拡大図である。
【００１８】
リモコン２００の前面には、第１のリモコンユニット２１０と、第２のリモコンユニット２２０と、が併設されている。本実施例のリモコン２００の場合、待機状態において、第１のリモコンユニット２１０の第１の操作面２１１がリモコン２００の前面に露出し、一方、第２のリモコンユニット２２０の化粧面２２１がリモコン２００の前面に露出している。第１のリモコンユニット２１０の第１の操作面２１１には、便器８００に「大洗浄」の洗浄水を流す「大」スイッチ２１２Ａ、便器８００に「小洗浄」の洗浄水を流す「小」スイッチ２１２Ｂ、便座８０２（図１参照）を電動で開く「便座」スイッチ２１２Ｃ、第１のリモコンユニット２１０を前方にスライドさせ突出させるスイッチ２１２Ｄ、第２のリモコンユニット２２０を回動させ前方に開くスイッチ２１２Ｅがそれぞれ設けられている。これらのスイッチ類は、リモコン２００が有するスイッチ類の中で最も使用頻度が高く、またいずれも便座８０２（図１参照）に座らずに便器８００の前に立った状態において使用する可能性が高いものである。本実施形態においては、このように使用頻度が最も高く、また立った状態で使用される可能性が高いスイッチ類を、第１のグループとして、第１のリモコンユニット２１０の第１の操作面２１１に配置している。
【００１９】
なお、待機状態においては、これら第１のリモコンユニット２１０の第１の操作面２１１と、第２のリモコンユニット２２０の化粧面２２１と、は略同一平面を構成する。つまり、すっきりとして見栄えがよくスリムな外観が与えられている。
【００２０】
図５及び図６は、第２のリモコンユニット２２０が前方に開いた状態を表す斜視図である。  
第２のリモコンユニット２２０は、その下方の長手方向を軸として回動可能とされ、第２のリモコン駆動部２７０（図１参照）によって前方に開くことにより、待機状態においては隠蔽されていた操作面２２２がリモコン２００の前方に露出する。この操作面２２２は、便座８０２（図１参照）に座った使用者に対面するように傾斜した状態に保持される。このようにして、便座８０２に座った使用者は、操作面２２２に設けられたスイッチを操作しやすく、また表示も確認しやすくなる。
【００２１】
図７は、第２のリモコンユニット２２０の操作面２２２をリモコン２００の前方から眺めた模式図である。  
また、図８は、操作面２２２に対向する方向から眺めた模式図である。
【００２２】
第２のリモコンユニット２２０の操作面２２２には、使用者が便座８０２に座った状態において操作する可能性が高いスイッチ類が設けられている。すなわち、吐水などの動作を停止する「止」スイッチ２２３Ａ、「おしり」に向けて吐水させる「おしり」スイッチ２２３Ｂ、吐水に広がりを与える「やわらか」スイッチ２２３Ｃ、ビデ洗浄を実行させる「ビデ」スイッチ２２３Ｄ、吐水の位置を変更する「洗浄位置」スイッチ２２３Ｅ、吐水の水勢を変更する「水勢」スイッチ２２３Ｆ、吐水位置を自動的に変化させる「ムーブ」スイッチ２２３Ｇ、吐水にマッサージ効果を与える「マッサージ」スイッチ２２３Ｈ、脱臭機能を動作させる「脱臭」スイッチ２２３Ｉ、温風を「おしり」に向けて噴出させる「乾燥」スイッチ２２３Ｊなどが設けられている。
【００２３】
これらのスイッチ類は、いずれも便座８０２に座った状態の使用者が操作する可能性が高いものである。そして、本実施形態によれば、このように、リモコン２００が有するスイッチ類のうちで、２番目に使用頻度が高いスイッチ類を第２のグループとして第２のリモコンユニット２２０の操作面２２２に配置している。また、本実施形態によれば、便座８０２に座った使用者は、第２のリモコンユニット２２０の操作面２２２に設けられたこれらのスイッチやその表示類を楽な姿勢で容易に操作し確認することができる。
【００２４】
図９は、第１のリモコンユニット２１０が前方にスライド突出した状態を表す模式図である。  
第１のリモコンユニット２１０は、第１のリモコン駆動部２６０（図１参照）により前方にスライド突出し、その上面に設けられた第２の操作面２１３が露出する。
【００２５】
図１０は、第１のリモコンユニット２１０の第２の操作面２１３を表す模式図である。  第２の操作面２１３には、操作部２１４と表示部２１５とが設けられている。操作部２１４に設けられたスイッチ類は、前述した第１のグループや第２のグループのスイッチ類よりも通常は使用頻度が低いものである。これには例えば、オート機能の設定のスイッチや、温水、便座、温風などの温度の設定や、時刻の設定や、節電モードの設定などのスイッチである。またさらに、温水洗浄便座装置８１０は別体として設けられる照明ユニットや、暖房ユニット、サウンドユニットなどに関するスイッチ類も設けることができる。本実施形態によれば、これらのスイッチ類を第３のグループとして、第１のリモコンユニット２１０の第２の操作面２１３に配置し、通常の使用状態においては使用者から隠蔽しつつ、第１のリモコンユニット２１０をスライド突出させることにより操作可能とした。
【００２６】
図１１は、第１及び第２のリモコンユニットの駆動機構を例示する模式図である。  
第１のリモコンユニット２１０を駆動する第１のリモコン駆動部２６０は、例えば駆動アーム２６１と、駆動アーム２６１に結合されたベルト２６２と、ベルト２６２を張支する一対のプーリー２６３と、プーリー２６３を回転させるモータ２６４と、を有する。モータ２６４の回転がベルト２６２に伝達され、駆動アーム２６１を駆動させることにより、第１のリモコンユニット２１０を進退させることができる。
【００２７】
また、第２のリモコンユニット２２０は、その長手方向の下方に設けられた回動軸２２５により回動自在に軸支されている。そして、第２のリモコンユニット２２０を駆動する第２のリモコン駆動部２７０は、第２のリモコンユニット２２０に結合された駆動アーム２７１と、駆動アーム２７１に結合されたベルト２７２と、ベルト２７２を張支する一対のプーリー２７３と、プーリー２７３を回転させるモータ２７４と、を有する。モータ２７６４の回転がベルト２７２に伝達され、駆動アーム２７１を駆動させることにより、第２のリモコンユニット２２０を回動軸２２５の回りに回動させ、リモコン２００の前面から前方下方に向けて開くことができる。
【００２８】
本具体例においては、プーリーとベルトによる動力伝達を採用しているので、例えば駆動部２６０、２７０の動作中に使用者が誤って指などをはさんだような場合でも、ベルト２６２、２７２が空転あるいはプーリーから脱落することにより、安全性が確保される。
【００２９】
なお、第１のリモコンユニット２１０や第２のリモコンユニット２２０を駆動させる機構としては、この他にも例えば、モータとギアとを組み合わせたものや、バネとダンパーとを組み合わせたもの、電磁ソレノイドを利用したものなど各種の機構を用いることができる。
【００３０】
なお、温水洗浄便座装置８１０は、交流１００ボルトの電力源に接続されて駆動可能とされている。また、リモコン２００は、電池により駆動可能としてもよい。ただし、リモコン２００も交流１００ボルトの電力源によって駆動するものとすると電池交換の手間がいらず、後に詳述する第１及び第２のリモコンユニット２１０、２２０の動作などを確実に実行させることができる。
【００３１】
次に、本実施形態のリモコンシステムの動作について具体的に説明する。  
図１２は、温水洗浄便座装置に設けられた人体検知センサの検知範囲を例示する模式図である。  
図１に関して前述した第１の人体検知センサ８１２は、例えば焦電センサや赤外線投光式センサなどからなり、図１及び図１２に符号Ａで表したように、便器８００の前方の広い範囲を検知する。これにより、例えば、トイレ室９００のドア９０２（図１参照）を開けて使用者が入室すると直ちに検知可能とされている。
【００３２】
第２の人体検知センサ８１４は、例えば赤外線投光式センサなどからなり、図１及び図１２に符号Ｂで表したように、便器８００の前に立った使用者を検知する。第３の人体検知センサ８１６は、赤外線投光式センサなどからなり、図１及び図１２に符号Ｃで表したように、便座８０２に座った使用者を検知する。
【００３３】
図１３は、使用者が便器８００の前に立った状態で使用する状態を表す模式図である。  まず、使用者１０がトイレ室９００のドア９０２を開けて入室すると、第１の人体検知センサ８１２がこれを検知する。すると、温水洗浄便座装置８１０の制御部８２０は、この検知情報を電波送信部８４０からリモコン２００に送信する。リモコン２００は電波受信部２３０においてこの検知情報を受け取ると、第１のリモコンユニット２１０の第１の操作面２１１に設けられたスイッチ２１２Ａ、２１２Ｂ・・・２１２Ｅの照明をオンにする。例えば、スイッチ２１２Ａ、２１２Ｂ、２１２Ｃにおいては、その周囲がリング状に光る。また、スイッチ２１２Ｄ及び２１２Ｅにおいては、スイッチの近傍に設けられた表示が背面からの投光により光る。前述したように、第１の操作面２１１に設けられた第１のグループのスイッチ類は、使用者１０が立った状態で使用する可能性が高いものである。
【００３４】
これらのスイッチ類を点灯させることにより、使用者１０は、これらスイッチの存在を認識し、必要に応じてスムーズに操作することができる。例えば、男性の立位での使用の場合、使用者１０は、リング状に光るスイッチ２１２Ｃを押すことにより、便座８０２を電動で開くことができる。そして、便器８００を使用後に、リング状に光るスイッチ２１２Ｂを押すことにより、便器８００に「小洗浄」の洗浄水を流すことができる。またあるいは、使用者１０が温水洗浄便座装置８１０などの設定を変更したいような場合には、表示が点灯しているスイッチ２１２Ｄを押すことにより、第１のリモコンユニット２１０を前方にスライド突出させ、第２の操作面２１３（図１０参照）を露出させることができる。
【００３５】
なお、使用者１０が便器８００の直近に立っている状態においては、第２の人体検知センサ８１４によりその存在が検知され、この検知情報が温水洗浄便座装置８１０からリモコン２００に向けて随時送信される。リモコン２００は、この検知情報に基づいて、第１のリモコンユニット２１０の第１の操作面２１１のスイッチや表示を点灯させ続けることができる。つまり、第１の人体検知センサ８１２と第２の人体検知センサ８１４の少なくともいずれかが人体を検知している間は、第１のリモコンユニット２１０の第１の操作面２１１のスイッチや表示を点灯させ続けることができる。
【００３６】
そして、使用者１０がトイレ室９００から立ち去ると、第１の人体検知センサ８１２、第２の人体検知センサ８１４、第３の人体検知センサ８１６のいずれも人体を検知しなくなる。すると、リモコン２００の制御部２２０は、第１のリモコンユニット２１０の第１の操作面２１１のスイッチや表示の点灯を停止する。またこの時、例えば第１のリモコンユニット２１０が前方にスライド突出した状態（図９）にあった場合には、リモコン２００の制御部２２０は、第１のリモコン駆動部２６０を駆動させて第１のリモコンユニット２１０を後退させ、収納する。同様に、もし第２のリモコンユニット２２０が前方に開いた状態（図５）にあった場合には、リモコン２００の制御部２２０は、第２のリモコン駆動部２７０を駆動させて第２のリモコンユニット２２０を後退させ、収納する。
【００３７】
図１４は、使用者が便座に座った状態を表す模式図である。  
使用者１０が便座８０２に座ると、第３の人体検知センサ８１６によりその存在が検知される。すると、温水洗浄便座装置８１０の制御部８２０は、電波送信部８４０からその検知情報を送信する。リモコン２００の電波受信部２３０がこの情報を受信すると、制御部２２０は、第２のリモコン駆動部２７０を駆動させ、図５に表したように第２のリモコンユニット２２０を前方に開く。またさらに、第２のリモコンユニット２２０の操作面２２２に配置されたスイッチ２２３Ａ〜２２３Ｊやそれらの表示を点灯させる。
【００３８】
前述したように、これら第２のグループのスイッチ類は、いずれも便座８０２に座った状態の使用者が操作する可能性が高いものである。そして、本実施形態によれば、このようなスイッチ類が配置された第２のリモコンユニット２２０の操作面２２２を、待機状態においては隠蔽しておき、使用者１０の着座に応じて前方に開いて露出させ使用可能な状態とする。
【００３９】
便座８０２に着座した使用者１０は、すぐ脇のカウンターにおいて第２のリモコンユニット２２０が前方に開いたことを、その動作音やスイッチ類の点灯により直ちに気がつく。そして、使用者１０は、便座８０２に座った状態のまま、第２のリモコンユニット２２０の操作面２２２に設けられたこれらのスイッチやその表示類を楽な姿勢で容易に操作し確認することができる。
【００４０】
またここで、便座８０２に座った使用者１０が温水洗浄便座装置８１０などの設定を変更したいような場合には、第１のリモコンユニット２１０の表示が点灯しているスイッチ２１２Ｄを押すことにより、第１のリモコンユニット２１０を前方にスライド突出させ、図１４の挿入図に表したように、第２の操作面２１３を露出させることができる。
【００４１】
そして、使用者１０が便座８０２から立ち上がり、トイレ室９００から立ち去ると、第１の人体検知センサ８１２、第２の人体検知センサ８１４、第３の人体検知センサ８１６のいずれも人体を検知しなくなる。すると、リモコン２００の制御部２２０は、第２のリモコン駆動部２７０を駆動させて第２のリモコンユニット２２０を後退させ、収納する。また、第１のリモコンユニット２１０の第１の操作面２１１のスイッチや表示の点灯を停止する。またこの時、もし第１のリモコンユニット２１０が前方にスライド突出した状態（図１４挿入図）にあった場合には、リモコン２００の制御部２２０は、第１のリモコン駆動部２６０を駆動させて第１のリモコンユニット２１０を後退させ、収納する。
【００４２】
以上説明したように、本実施形態によれば、リモコン２００に設けられるスイッチ類をその使用頻度や、使用される状況に応じてグループ分けし、使用頻度や使用する可能性が低いグループは隠蔽した状態とし、使用者の状態に応じて、最適なグループを露出させて操作可能な状態にする。このようにすれば、トイレに設けられるシステムの多機能化に対応して多数のスイッチが設けられたリモコンにおいて、使用者が使いやすく、また見栄えもすっきりとしてデザイン的にも優れたリモコンを提供できる。
【００４３】
また、本実施形態においては、温水洗浄便座装置８１０の人体検知センサからの検知情報を利用するので、リモコン２００に人体検知センサを設ける必要がなくなる。その結果として、焦電センサの受光窓や、赤外線投光式センサの投受光窓などをリモコン２００に設ける必要がなくなり、見栄えをすっきりとしさせてデザイン的に優れたリモコンを提供できる。
【００４４】
また、待機状態や便座８０２に着座していない状態においては、第１及び第２のリモコンユニット２１０、２２０は収納されてリモコン２００の前面は略平坦面とされている。従って、常に清潔な状態を維持したいトイレにおいて、ホコリや汚れなどがつきにくく、拭き掃除などの清掃も容易となる。また、温水洗浄便座装置８１０の人体検知センサの検知情報に基づいて第２のリモコンユニット２２０が自動的に開閉するので、開閉に際してリモコン２００を手で触る必要がなく、この点でもリモコンを清潔に保ちやすい。
【００４５】
図１５は、リモコン２００により制御されるトイレシステムを例示するブロック図である。  
すなわち、トイレには、温水洗浄便座装置８１０の他にも、例えば電気温水器ユニット６１０、サウンドユニット６２０、照明ユニット６３０、芳香ユニット６４０、室内暖房ユニット７００などを設けることができる。そして、これらのユニットの動作は、リモコン２００により制御することができる。
【００４６】
温水洗浄便座装置８１０からリモコン２００への人体検知情報の送信は電波により実行される。一方、リモコン２００から温水洗浄便座装置８１０やその他の各ユニットへの制御信号の送信は、赤外線により実行される。このように異なる媒体を用いることで、人体検知情報と制御信号とが干渉することを防止できる。また、人体検知情報を電波で送信することにより、例えば、温水洗浄便座装置８１０からみてカウンターの奥にリモコン２００の電波受信部２３０が設置されたような場合でも、人体検知情報を確実に伝送できる。
【００４７】
リモコン２００からこれらのうちで、例えば、サウンドユニット６２０や照明ユニット６３０は、温水洗浄便座装置８１０の人体検知センサ８１２、８１４、８１６のいずれかの検知情報に基づいて自動的に動作を開始させてもよい。つまり、トイレ９００に使用者が入室すると、サウンドユニット６２０が自動的に音楽や効果音などを鳴らし、照明ユニット６３０は自動的に照明を点灯させることができる。このようにすれば、リモコン２００やそれぞれのユニットに人体検知センサを設ける必要がなく、温水洗浄便座装置８１０に設けられた人体検知センサを共用することが可能となる。その結果として、共通の人体検知情報に基づいてシステムを統一的に制御でき、コストも低減できる。
【００４８】
図１６は、照明ユニット６３０を例示する模式図である。  
本具体例においては、リモコン２００は、その背後に電源部２８０を有する。この電源部２８０の前面にＬＥＤ（Light Emitting Diode）などを用いた照明ユニット６３０が設けられている。照明ユニット６３０は、ペーパーホルダ５００の後方から、符号Ｌで表したように斜め下方に向けて光を照射する。この照明は、夜間に起きた使用者が、トイレ室９００の明かりを点けることによる眩しさを感ずることなく、夜目にあわせてトイレを使用できるソフトな照明である。
【００４９】
そして、本実施形態によれば、トイレ９００に使用者が入室すると、温水洗浄便座装置８１０の人体検知センサ８１２、８１４、８１６のいずれかの検知情報をリモコン２００が受信し、照明ユニット６３０を動作させて自動的に照明を点灯させることができる。
【００５０】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。例えば、筐体３００の中に収容される機器はリモコン２００には限定されず、その他、外力の負荷を抑制すべきあらゆる機器が包含される。また、筐体３００を設けず、その内部に収容されるリモコン２００などの機器を各実施例において筐体３００と同様の方法で取り付けたものも本発明の範囲に包含される。
【００５１】
また、棚板や筐体、リモコン、ブラケット、ガイド、レール、取付具などの各要素の形状、寸法、材質、配置などは、例示したものに限定されるわけではなく適宜変更することができる。  
また、前述した各実施例が備える各要素は、可能な限りにおいて組み合わせることができ、これらを組み合わせたものも本発明の特徴を含む限り本発明の範囲に包含される。
【図面の簡単な説明】
【００５２】
【図１】本実施形態のリモコン及びこれを備えたリモコンシステムを表すブロック図である。
【図２】本実施形態のリモコンシステムが設置されたトイレ空間を例示する模式図である。
【図３】リモコン２００の外観を表す斜視図である。
【図４】リモコン２００の前面の拡大図である。
【図５】第２のリモコンユニット２２０が前方に開いた状態を表す斜視図である。
【図６】第２のリモコンユニット２２０が前方に開いた状態を表す斜視図である。
【図７】第２のリモコンユニット２２０の操作面２２２をリモコン２００の前方から眺めた模式図である。
【図８】操作面２２２に対向する方向から眺めた模式図である。
【図９】第１のリモコンユニット２１０が前方にスライド突出した状態を表す模式図である。
【図１０】第１のリモコンユニット２１０の第２の操作面２１３を表す模式図である。
【図１１】第１及び第２のリモコンユニットの駆動機構を例示する模式図である。
【図１２】温水洗浄便座装置に設けられた人体検知センサの検知範囲を例示する模式図である。
【図１３】使用者が便器８００の前に立った状態で使用する状態を表す模式図である。
【図１４】使用者が便座に座った状態を表す模式図である。
【図１５】リモコン２００により制御されるトイレシステムを例示するブロック図である。
【図１６】照明ユニット６３０を例示する模式図である。
【符号の説明】
【００５３】
１００ 棚板、１１０ 天板、１２０ 幕板、１６０ ボウル、１７０ 水栓、２００ リモコン、２１０ 第１のリモコンユニット、２１１ 第１の操作面、２１２Ａ、２１２Ｂ、２１２Ｃ、２１２Ｄ、２１２Ｅ スイッチ、２１３ 第２の操作面、２１４ 操作部、２１５ 表示部、２２０ 第２のリモコンユニット、２２０ 制御部、２２１ 化粧面、２２２ 操作面、２２３Ａ〜２２３Ｊ スイッチ、２２５ 回動軸、２３０ 電波受信部、２４０ 制御部、２５０ 赤外発信部、２６０ リモコン駆動部、２６１ 駆動アーム、２６２ ベルト、２６３ プーリー、２６４ モータ、２７０ リモコン駆動部、２７１ 駆動アーム、２７２ ベルト、２７３ プーリー、２７４ モータ、２７６４ モータ、２８０ 電源部、３００ 筐体、５００ ペーパーホルダ、５９０ トイレットペーパー、６００ キャビネット、６１０ 電気温水器ユニット、６２０ サウンドユニット、６３０ 照明ユニット、６４０ 芳香ユニット、７００ 室内暖房ユニット、８００ 人体検知センサ、８００ 便器、８０２ 便座、８１０ 温水洗浄便座装置、８１２、８１４、８１６ 人体検知センサ、８２０ 制御部、８３０ 温水洗浄便座機能部、８４０ 電波送信部、８５０ 赤外受信部、９００ トイレ室、９０２ ドア、９１０ 鏡
【図１】
2008240495.tif 000003
【図２】
2008240495.tif 000004
【図３】
2008240495.tif 000005
【図４】
2008240495.tif 000006
【図５】
2008240495.tif 000007
【図６】
2008240495.tif 000008
【図７】
2008240495.tif 000009
【図８】
2008240495.tif 000010
【図９】
2008240495.tif 000011
【図１０】
2008240495.tif 000012
【図１１】
2008240495.tif 000013
【図１２】
2008240495.tif 000014
【図１３】
2008240495.tif 000015
【図１４】
2008240495.tif 000016
【図１５】
2008240495.tif 000017
【図１６】
2008240495.tif 000018